(57)【要約】      （修正有）【課題】電気化学的エネルギー蓄積デバイスを含む車両を充電するための方法およびシステムを提供する。【解決手段】電気自動車充電スタンド２０が説明される。この充電スタンドは、交流（ＡＣ）電源５２と結合するように構成された入力コネクタ５０と、電気自動車４０と結合するように構成された出力コネクタ６２とを含む。この充電スタンドは、１次側１０２および２次側１０４を備えた可変出力変圧器１００も含む。１次側は、入力コネクタに結合され、２次側は、出力コネクタに結合され、電気自動車に関連したエネルギー蓄積デバイス７２と選択的に電磁通信するように構成される。充電スタンドには、変圧器に結合され、電気自動車に供給するべき電圧レベル求めるように構成されたコントローラ１１０も含まれる。【選択図】図１
2013013314.tif 000002
【特許請求の範囲】
【請求項１】
交流（ＡＣ）電源（５２）と結合するように構成された入力コネクタ（５０）と、
電気自動車（４０）と結合するように構成された出力コネクタ（６２）と、
１次側（１０２）および２次側（１０４）を備える可変出力変圧器（１００）であって、前記１次側が、前記入力コネクタに結合され、前記２次側が、前記出力コネクタに結合され、前記電気自動車に関連したエネルギー蓄積デバイス（７２）と選択的に電磁通信するように構成された可変出力変圧器（１００）と、
前記変圧器に結合され、前記電気自動車に供給するべき電圧レベルを求めるように構成されたコントローラ（１１０）とを備える装置（２０）。
【請求項２】
前記可変出力変圧器（１００）が複数のタップ（１０６）をさらに備え、前記出力コネクタ（６２）が、ソリッドステートデバイスおよび電気機械デバイス（１０８）の少なくとも１つによって、前記複数のタップに選択的に結合され、前記電気自動車（４０）に対して前記求められた電圧レベルを供給する請求項１記載の装置（２０）。
【請求項３】
前記コントローラ（１１０）が、前記電気自動車（４０）から、最大電圧レベルに対応する電圧レベル信号を受け取るように構成される請求項１記載の装置（２０）。
【請求項４】
前記コントローラ（１１０）が、
前記電圧レベル信号を伝送するように変調されたスイッチング周波数を受け取り、
前記変調されたスイッチング周波数を復調して、前記電気自動車（４０）に供給するべき電圧のレベルを求めるように構成される請求項３記載の装置（２０）。
【請求項５】
前記コントローラ（１１０）が、
前記電気自動車（４０）に対して第１の電圧レベルでＡＣ電力を供給し、
前記変圧器（１００）の電力出力を測定し、
前記変圧器の前記電力出力が前記電気自動車によって制限されるまで、前記電気自動車に供給される前記ＡＣ電力の前記電圧レベルを上昇させるようにさらに構成される請求項１記載の装置（２０）。
【請求項６】
前記コントローラ（１１０）が、最大電流レベルを記憶するように構成されたメモリデバイス（１１４）を備え、前記コントローラが、
前記電気自動車（４０）に対して第１の電圧レベルでＡＣ電力を供給し、
前記電気自動車によって引き込まれる電流のレベルを測定し、
前記電気自動車によって引き込まれる前記電流のレベルが前記最大電流レベルと等しくなるまで、前記電気自動車に供給される前記ＡＣ電力の前記電圧レベルを上昇させるように構成される請求項１記載の装置（２０）。
【請求項７】
前記コントローラ（１１０）が、
前記ＡＣ電源（５２）によって前記入力コネクタ（５０）に供給される電力の電圧レベルおよび電流レベルの少なくとも１つに対応する電圧レベル信号および電流レベル信号の少なくとも１つを受け取り、
前記電圧レベル信号および電流レベル信号の少なくとも１つに基づいて利用可能な電力を求め、
前記利用可能な電力を、これも前記ＡＣ電源から電力を受け取る非車両充電負荷に必要とされる所定の電力レベルと比較し、
前記可変出力変圧器（１００）の前記電力出力を、前記利用可能な電力レベルと前記所定の電力レベルの間の差に制限するように構成される請求項１記載の装置（２０）。
【請求項８】
前記出力コネクタ（６２）が、電気自動車のコンバータ（７４）と結合するように構成され、前記電気自動車のコンバータが、前記エネルギー蓄積デバイス（７２）からのＤＣ電力を、電気自動車のトラクションモータ（７０）に給電するためのＡＣ電力に変換し、前記可変出力変圧器（１００）からのＡＣ電力を、前記エネルギー蓄積デバイスを充電するためのＤＣ電力に変換するように構成された双方向コンバータである請求項１記載の装置（２０）。
【請求項９】
電動機（７０）と、
前記電動機に給電するように構成された少なくとも１つの直流（ＤＣ）エネルギー蓄積デバイス（７２）と、
ＤＣコネクタ（７６）およびＡＣコネクタ（７８）を備える電力コンバータ（７４）であって、前記ＤＣコネクタが前記少なくとも１つのＤＣエネルギー蓄積デバイスに結合された電力コンバータ（７４）と、
ＡＣ電源（２０）と結合するために前記ＡＣコネクタに選択的に結合された接続デバイス（６４）と、
第１の位置および第２の位置を備えたスイッチングデバイス（８２）であって、前記第１の位置で前記ＡＣコネクタと前記電動機を結合し、前記第２の位置で前記ＡＣコネクタと前記接続デバイスを結合するスイッチングデバイス（８２）とを備える装置（４０）。
【請求項１０】
前記電動機（７０）、前記少なくとも１つのＤＣエネルギー蓄積デバイス（７２）、前記電力コンバータ（７４）、前記接続デバイス（６４）、および前記スイッチングデバイス（８２）が、電気自動車（４０）の内部に含まれる請求項９記載の装置（４０）。
【発明の詳細な説明】
【技術分野】
【０００１】
本明細書で説明される実施形態は、一般に電気自動車に関し、より具体的には、電気化学的エネルギー蓄積デバイスを含む車両を充電するための方法およびシステムに関する。
【背景技術】
【０００２】
従来型燃焼機関の車両を使用することに関連した燃料費の上昇、および空気汚染を含む環境問題の高まりの両方に応じて、電気自動車およびハイブリッド車の使用が増加している。結果として、このような車両で使用されるバッテリーまたは他のエネルギー蓄積デバイスを充電するのに用いられる電気エネルギーの形で、エネルギー需要が増加する可能性が高い。電気自動車、または電気化学的エネルギー蓄積デバイスを含む車両は、本明細書では、車両を推進するのに用いられる電力のいくらかの部分を、エネルギー蓄積デバイスから、例えばバッテリーから導出する車両と定義される。電気自動車は、車両を推進する電動機（例えばトラクションモータ）を駆動するのに、もっぱらバッテリーに蓄積された電力に依存する車両と、トラクションモータを駆動するのに用いられる電力を蓄積するためのバッテリーを含み、またバッテリーを再充電するのに使用される発電機を駆動する内燃機関も含む車両と、電気的構成要素と化石燃料を動力源とする構成要素との組合せを含む車両（例えばハイブリッド車）とを含み得るが、これらに限定されない。ハイブリッド車の実例には、並列ハイブリッド車、直列ハイブリッド車、および混合ハイブリッド車が含まれる。並列ハイブリッド車では、内燃機関および電気機械が、トラクションシステムと機械的に結合される。直列ハイブリッド車では、内燃機関および電気機械が、発電機およびトラクションシステムと機械的に結合される。さらに、混合ハイブリッド車は、並列ハイブリッド車と直列ハイブリッド車の組合せであり、内燃機関が、トラクションシステムに対して機械的に結合され得る。
【０００３】
現在、電気自動車に含まれる充電電池に対して複数の充電レベルが利用可能である。様々な充電レベルの実例が、自動車技術者協会（ＳＡＥ）規格Ｊ１７７２の、ＳＡＥ電気自動車およびプラグインハイブリッド電気自動車の導電性充電カプラに説明されている。第１の充電レベルおよび第２の充電レベルは、ゆっくりした交流（ＡＣ）充電と称され得る。電気自動車は、第１の充電レベルを用いて充電するために、ＡＣ−ＡＣコネクタを介して、車両充電スタンド、またはアメリカ合衆国の実例ではおおよそ１５〜２０アンペアで１２０ボルト（ＶＡＣ）の交流を供給する標準的な住宅向きの電気コンセントに結合される。第１の充電レベルでの充電は、電気自動車を十分に充電するのに８〜２４時間を要する可能性がある。電気自動車は、第２の充電レベルを用いて充電するために、ＡＣ−ＡＣコネクタを介して、例えばおおよそ３０〜３２アンペアで２４０ＶＡＣを供給する車両充電スタンドに結合される。第２の充電レベルの、より高い電力によって、標準的電気コンセントによる給電より、電気自動車に対する迅速な充電サイクルが容易になる。例えば、第２の充電レベルで充電すると、電気自動車を十分に充電するのに４〜１０時間を必要とする可能性がある。一般に、電気自動車は、充電専用のＡＣ−直流（ＤＣ）コンバータを含む。ＡＣ−ＤＣコンバータは、充電のために、バッテリーに対してＤＣ電力を供給する。
【０００４】
さらなる充電レベルは、「急速充電」レベルと称され得る。急速充電レベルは、一般に、電気自動車に対してＤＣ電力を与える。例えば、急速充電システムは、電気自動車のＤＣバスにＤＣ電力を直接与えることができる。より具体的には、車両充電スタンドは、ＡＣ電力を、例えばアメリカ合衆国の４８０ＶＡＣまたはヨーロッパの６９０ＶＡＣといった高電圧で受け取る。車両充電スタンドは、ＡＣ−ＤＣコンバータを含み、ＡＣ−ＤＣコンバータのＤＣ電力出力が、ＤＣケーブルを介して電気自動車に供給される。電気自動車に供給されるＤＣ電力は６０キロワット（ｋＷ）〜１５０ｋＷの範囲であり得て、電気自動車は、おおよそ１０〜１５分で５０％充電レベルに到達することができる。
【発明の概要】
【０００５】
一態様では、電気自動車充電スタンドが提供される。この充電スタンドは、ＡＣ電源と結合するように構成された入力コネクタと、電気自動車と結合するように構成された出力コネクタとを含む。この充電スタンドは、１次側および２次側を備えた可変出力変圧器も含む。１次側は、入力コネクタに結合され、２次側は、出力コネクタに結合され、電気自動車に関連したエネルギー蓄積デバイスと選択的に電磁通信するように構成される。充電スタンドには、変圧器に結合され、電気自動車に供給するべき電圧レベル求めるように構成されたコントローラも含まれる。
【０００６】
別の態様では、電気自動車を充電するための電気自動車充電スタンドを制御する方法が提供される。この方法は、可変出力変圧器でＡＣ電力を受け取るステップと、電気自動車で使用するために可変出力変圧器から出力される電圧レベルを求めるステップとを含む。
【０００７】
さらに別の態様では、電動機と、同電動機に給電するように構成された少なくとも１つのＤＣエネルギー蓄積デバイスとを含む装置が提供される。この装置は、ＤＣコネクタおよびＡＣコネクタを備えた電力コンバータも含む。ＤＣコネクタは、少なくとも１つのＤＣエネルギー蓄積デバイスに結合される。電気自動車は、ＡＣ電源と結合するためのＡＣコネクタに結合された接続デバイスも含む。電気自動車は、第１の位置および第２の位置を備えたスイッチングデバイスも含み、第１の位置でＡＣコネクタと電動機を結合し、第２の位置でＡＣコネクタと接続デバイスを結合する。
【図面の簡単な説明】
【０００８】
【図１】例示的電気自動車充電システムの概略図である。
【図２】複数の電気自動車を充電するための例示的電気自動車充電システムのブロック図である。
【図３】図２に示された電気自動車充電システムの代替実施形態のブロック図である。
【図４】図１〜図３に示された電気自動車充電スタンドを制御する例示的方法の流れ図である。
【発明を実施するための形態】
【０００９】
本明細書で説明される方法およびシステムにより、例えば電気自動車の中に含まれ得るＤＣエネルギー蓄積デバイスの高速充電を促進することができる。本明細書で説明される方法およびシステムを用いて充電することができる電気自動車は、例えば、ＤＣエネルギー蓄積デバイスと電動トラクションモータの間に結合されたトラクションモータの電力コンバータを含むことができる。本明細書で説明される方法およびシステムは、トラクションモータの電力コンバータに供給されるＡＣ電力を、ＤＣエネルギー蓄積デバイスを充電するためのＤＣの電力に変換するためにも、トラクションモータの電力コンバータを使用することができる。トラクションモータの電力コンバータを双方向で使用すると、ＤＣエネルギー蓄積デバイスの充電中にのみ使用される個別の電力コンバータの必要性を解消することができる。電気自動車の個別のバッテリー充電電力コンバータをなくすと、電気自動車の全重量を低減して効率を向上することができる。ＤＣ電気自動車充電スタンドに含まれる個別のＡＣ−ＤＣコンバータをなくすと、充電スタンドのコストおよび複雑さも低減することができる。さらに、電気自動車に含まれるトラクションモータの電力コンバータの定格を、高電圧を扱うようにすることができ、高電圧でＤＣエネルギー蓄積デバイスを充電すると、充電に必要な時間が短縮され得て、トラクションモータの電力コンバータの用途が広がる。
【００１０】
本明細書で説明される方法、システム、およびコンピュータ可読媒体の技術的効果には、（ａ）ＡＣ電源からＡＣ電力を受け取るステップと、（ｂ）電気自動車に供給するべき電圧レベルを求めるステップと、（ｃ）電力コンバータに対して、求められた電圧レベルでＡＣ電力を供給するステップとのうち少なくとも１つが含まれる。
【００１１】
図１は、例示的電気自動車充電スタンド２０、および電気自動車充電スタンド２０を使用して充電するように構成された電気自動車４０の概略図である。この例示的実施形態では、電気自動車充電スタンド２０は、「急速充電」交流（ＡＣ）電気自動車充電システムと称される。充電スタンド２０は、例えば５０キロワット（ｋＷ）〜１００ｋＷの範囲で電気自動車４０にＡＣ電力を供給するように構成することができるが、この範囲に限定されるわけではない。
【００１２】
この例示的実施形態では、電気自動車充電スタンド２０は、ＡＣ電源５２と接続するための少なくとも１つの入力コネクタ５０を含む。ＡＣ電源５２は、例えばＡＣ送電網を含んでよいが、これには限定されない。入力コネクタ５０は、充電スタンド２０をＡＣ電源５２と電気通信させるように構成された複数の端子、充電スタンド２０とＡＣ電源５２の誘導結合を助長する構成要素、および／または充電スタンド２０をＡＣ電源５２と電磁通信させるその他のタイプのコネクタを含んでよい。ＡＣ送電網は、配電／送電プロセス内の位置次第で様々な電圧レベルに維持される。この例示的実施形態では、ＡＣ電源５２は、充電スタンド２０に対して、アメリカ合衆国にある送電網で利用可能な一般的な電圧レベルである４８０ボルトの３相ＡＣ電力を供給する。あるいは、ＡＣ電源５２は、充電スタンド２０に対して、例えばヨーロッパ諸国にある送電網で利用可能な一般的な電圧レベルである６９０ボルトの３相ＡＣ電力を供給してよい。この例示的実施形態では、電源５２は、配電網５６からの電圧レベルを、３３ｋＶから４８０ボルトまたは６９０ボルトに低下させる変圧器５４から電力を受け取る。充電スタンド２０は、４８０ボルトまたは６９０ボルトのいずれかのＡＣ電力を受け取ると説明されたが、充電スタンド２０が本明細書に説明されるように機能することを可能にする任意の適切な電圧レベルを有する電力を受け取ることができる。
【００１３】
この例示的実施形態では、電気自動車充電スタンド２０は、例えばＡＣケーブル６０内に配置された複数の導体を含む。この例示的実施形態では、ＡＣケーブル６０は出力コネクタ６２を含み、電気自動車４０は、電気自動車４０に充電スタンド２０を結合するために、例えば接続デバイス６４の中に、対応する入力コネクタを含む。代替実施形態では、ＡＣケーブル６０はユーザによって用意され、この場合、電気自動車充電スタンド２０は、ＡＣケーブル６０で接続するように構成された出力コネクタ６２を含む。出力コネクタ６２は、充電スタンド２０を電気自動車４０と電気通信させるように構成された複数の端子、充電スタンド２０と電気自動車４０の誘導結合を助長する構成要素、および／または充電スタンド２０を電気自動車４０と選択的に電磁通信させるその他のタイプのコネクタを含んでよい。
【００１４】
この例示的実施形態では、電気自動車４０は、電動機７０および少なくとも１つのエネルギー蓄積デバイスを含み、同デバイスは、例えば電動機７０に給電するように構成されたバッテリー７２であるが、これには限定されない。電動機７０は、電気自動車４０のトラクションシステム（図１には示されていない）に結合され、トラクションモータと称されることもある。本明細書で参照されるバッテリー７２は、単一の電気化学電池、結合されてバッテリー配列を形成する複数の電気化学電池、または化学エネルギー蓄積デバイスのその他の適切な構成を含むことができる。この例示的実施形態では、電力コンバータ７４がバッテリー７２と電動機７０を結合する。より具体的には、コンバータ７４は、バッテリー７２に結合されたＤＣコネクタ７６および電動機７０に結合されたＡＣコネクタ７８を含む。この例示的実施形態では、電力コンバータ７４は、バッテリー７２からのＤＣ電力を電動機７０に給電するためのＡＣ電力に変換するように構成された双方向コンバータである。さらに、電力コンバータ７４は、電気自動車充電スタンド２０によって供給されるＡＣ電力を、バッテリー７２を充電するためのＤＣ電力に変換するようにも構成される。
【００１５】
この例示的実施形態では、電気自動車４０は、スイッチングデバイス８２も含む。スイッチングデバイス８２は、第１の位置で、ＡＣコネクタ７８を電動機７０に結合する。スイッチングデバイス８２は、第２の位置で、ＡＣコネクタ７８を、接続デバイス６４に結合して電動機７０から分離する。スイッチングデバイス８２は、ユーザによって供給された手動信号、または例えば電気自動車４０が充電スタンド２０に結合されたときに生成される信号であるが、これに限定されない自動生成された信号に基づいて操作されてよい。スイッチングデバイス８２は、ソリッドステート素子および／または電気機械的に作動される構成要素を含み得るが、これらに限定されるわけではない。
【００１６】
この例示的実施形態では、充電スタンド２０は、可変出力変圧器１００を含む。代替実施形態では、可変出力変圧器１００は、変電所内に含まれてよく、例えば、変圧器５４（図１に示されている）は、可変出力変圧器または複数タップ変圧器でよい。可変出力変圧器１００は、１次側１０２および２次側１０４を含む。１次側１０２は入力端子５０に結合され、２次側１０４はＡＣケーブル６０に結合される。可変出力変圧器１００は、単巻変圧器および／または多重タップ巻線を有する変圧器を含んでよい。可変出力変圧器１００の出力は、固定周波数で可変出力の電力である。換言すれば、可変出力変圧器１００の電圧出力は調節可能である。例えば、可変出力変圧器１００は複数のタップ１０６を含むことができる。複数のタップ１０６の各タップは、別々の出力電圧に対応する。所望の出力電圧に相当するタップに、ＡＣケーブル６０が結合される。この例示的実施形態では、変圧器１００は、ＡＣケーブル６０に結合されたタップを切り換える、パワーエレクトロニクスベースのタップ切換器１０８を含む。パワーエレクトロニクスベースのタップ切換器１０８は、電気機械式の電子装置および／または半導体ベースの電子装置を含んでよいが、これらには限定されない。
【００１７】
この例示的実施形態では、電気自動車充電スタンド２０は、ＡＣ電源５２から高電圧を受け取る。例えば、電気自動車充電スタンド２０は、例えばアメリカ合衆国で利用可能な４８０ボルトの送電網、または例えば多くのヨーロッパ諸国で利用可能な６９０ボルトの送電網に結合されてよい。配電電圧を高くすると、所与の電力レベルで電流を低減することができ、電力を分配するのに使用されるケーブルのコストを最小限にするのが容易になる。さらに、可変出力変圧器１００がＡＣ電圧レベルを低下させることができるので、ＡＣ電圧レベルを、電気自動車４０および／または電気自動車４０に含まれるエネルギー蓄積デバイスの充電技術に適合させることができ、充電スタンド２０を電気自動車４０に直接結合することができる。
【００１８】
この例示的実施形態では、電気自動車充電スタンド２０は、変圧器１００に結合された充電スタンドコントローラ１１０も含む。この例示的実施形態では、充電スタンドコントローラ１１０は、プロセッサ１１２およびメモリデバイス１１４を含む。本明細書で用いられる用語プロセッサは、中央処理装置、マイクロプロセッサ、マイクロコントローラ、縮小命令セットコンピュータ（ＲＩＳＣ）、特定用途向け集積回路（ＡＳＩＣ）、論理回路、および本明細書に記述された機能を実行することができるその他の回路またはプロセッサを指す。電気自動車充電スタンド２０によって供給される電圧のレベルは、電気自動車４０が充電に用いることができる電圧レベルより高い可能性がある。コントローラ１１０は、電気自動車４０に供給するべき電圧レベルを求めるように構成される。電気自動車に含まれるバッテリーを最も急速に充電する電圧のレベルは、車両ごとに一様でない。バッテリーを最も急速に充電することになる電圧レベルは、電動機技術、設計、バッテリー電圧、および電気自動車に含まれる半導体デバイス次第で一様でない可能性がある。例えば、最も急速にバッテリーを充電することになる電圧レベルは、バッテリーのＤＣ電圧に左右される。ＡＣ供給電圧を、バッテリーのＤＣ電圧とマッチングさせると、電力コンバータ７４のスイッチング損失が最小化される。さらに、コントローラ１１０は、求められた電圧レベルを電気自動車４０に供給するために、変圧器１００の複数のタップ１０６を選択的に結合するように構成される。
【００１９】
電気自動車４０には、電力コンバータ７４に結合され、電力コンバータ７４の動作を制御するように構成されたシステムコントローラ１２０も含まれる。システムコントローラ１２０は、接続デバイス６４およびＡＣ充電スタンド２０に電圧レベル信号の伝送も行なう。電圧レベル信号は、バッテリー７２を充電するべき最大電圧レベルに対応する。システムコントローラ１２０は、充電スタンド２０に電圧レベル信号を伝送し、充電スタンド２０は、電圧レベル信号を、バッテリー７２を充電するために充電スタンド２０が電気自動車４０に供給することになる最大電圧レベルとして用いる。例えば、システムコントローラ１２０は、電力コンバータ７４のスイッチング周波数を変調して、充電スタンド２０へ伝送する電圧レベル信号を符号化することができる。電力コンバータ７４は、電力コンバータ７４に印加されたときバッテリー７２を最も急速にする充電することになる充電電圧に関する情報を含むパルス幅変調（ＰＷＭ）信号を、充電スタンド２０に供給する。接続デバイス６４にＡＣ電力が与えられるとき、スイッチングデバイス８２は、電動機７０をコンバータ７４から切り離す。
【００２０】
この例示的実施形態では、コントローラ１１０は、電気自動車４０から受け取った電圧レベル信号に基づいて電気自動車４０に供給するべき電圧レベルを求めることができる。電気自動車４０から受け取る電圧レベル信号には、バッテリー７２を充電するべき最大電圧レベルが含まれる。この例示的実施形態では、コントローラ１１０は、電力コンバータ７４のスイッチング周波数を検出し、復調して、電気自動車４０に供給するべき電圧レベルを求める。例えば、電力コンバータ７４は、デューティサイクルが固定されたＰＷＭ信号を生成することができる。ＰＷＭ信号をフィルタリングすると、そのＤＣ値が、１装置当たりのバッテリー電圧に対応する。あるいは、バッテリー電圧を求める他の方法の１つに、電力ブリッジに特定のスイッチングベクトルをかけることがあり、例えば、２レベルの３相インバータでは、上側のＩＧＢＴに対して（オン、オフ、オフ）をかけ、下側のＩＧＢＴに対して（オフ、オン、オン）をかける。
【００２１】
あるいは、システムコントローラ１２０は、専用通信チャンネル、電力ライン通信、および／または充電スタンド２０が本明細書に説明されるように機能することを可能にするその他のタイプの信号伝送を含むがこれらに限定されない他の通信プロトコルを用いて、接続デバイス６４およびＡＣ充電スタンド２０に電圧レベル信号を伝送することもできる。しかし、変調されたスイッチング周波数の中に電圧レベル信号を含ませるか、または電力ライン通信を用いて電圧レベル信号を伝送すると、個別のデータ通信導体を使用することなく、電気自動車４０と充電スタンド２０の間の情報伝送が容易になる。これによって、車両４０を充電スタンド２０に結合するのに使用される導体の数ならびにケーブルのコストが低減される。標準的な電力コネクタ（すなわちソケットおよびプラグ）は、広範にわたって入手可能である。しかし、特別に組み合わせた電力ケーブルおよびデータケーブルは、同じほど広範にわたって入手可能ではなく、したがって、それらを使用すると、電気自動車の広範囲の採用を限定する可能性がある。
【００２２】
別の代替実施形態では、変圧器１００の電力出力の電圧レベルは、例えばゼロボルトで始まって最大電圧レベルに到達するまで繰り返し上昇される。少なくとも１つのセンサ１３０が、変圧器１００によって出力された電圧および電流のうち少なくとも１つを測定するように構成される。例えば、充電スタンドコントローラ１１０は、電気自動車４０によって引き込まれる電流レベルを監視することができる。より具体的には、第１の実施形態では、充電スタンドコントローラ１１０は、電気自動車４０に対して第１の電圧レベルでＡＣ電力を供給し、可変出力変圧器１００の電力出力を測定して、変圧器１００の電力出力が電気自動車４０によって制限されるまで、電気自動車４０に供給されるＡＣ電力の電圧レベルを上昇させる。電圧が上昇するのにつれて、電気自動車４０が引き込む電流レベルが上昇する。しかし、電気自動車４０は、引き込む電流のレベルを制限する。電気自動車４０が電流を一旦制限すると、充電スタンド２０が出力電圧を上昇し続けていても、充電スタンド２０の電力出力の上昇は、電圧および電流が増加していた場合より小さくなるはずである。充電スタンドコントローラ１１０が、電力増加の割合のこの低下を検知して、充電スタンド２０において出力電力の電圧レベルが設定される。第２の実施形態では、最大の電流レベルが、充電スタンドのメモリデバイス１１４に記憶される。充電スタンド２０によって出力される電力の電圧は、例えばゼロボルトからＸボルトに上昇され、Ｘボルトは、電気自動車４０が引き込む電流が最大電流レベルのときの電圧レベルである。より具体的には、コントローラ１１０は、電気自動車４０に対して第１の電圧レベルでＡＣ電力を供給し、電気自動車４０が引き込む電流レベルを測定して、電気自動車４０が引き込む電流が最大電流レベルに等しくなるまで、電気自動車４０に供給するＡＣ電力の電圧レベルを上昇するように構成される。
【００２３】
電力コンバータ７４は、特定の時点における電圧変化の高い割合（すなわち高いｄＶ／ｄｔ）に耐えるように構成される。例えば、高いｄＶ／ｄｔに起因する電力コンバータ７４の損傷を防止するために、電力コンバータ７４内に絶縁体が含まれ得る。さらに、電力コンバータ７４によって生成される高調波成分が送電網５２にかかるのを防止するために、変圧器１００は、高インダクタンスを含むように構成されて、送電網５２に高周波成分が印加されるのを制限し、結局は送電網５２に短絡電流成分が加わるのを制限する。代替実施形態では、能動フィルタまたは受動フィルタ（図１には示されていない）が、例えば、充電スタンド２０の中、充電スタンド２０と送電網５２の間の相互接続点、および／または電力コンバータ７４によって生成された高調波成分が送電網５２に印加されることの防止を容易にするその他の位置に配置されてよい。
【００２４】
この例示的実施形態では、コントローラ１１０は、電気自動車充電スタンド２０の電力出力を調整することができる。例えば、コントローラ１１０は、充電スタンド２０の電力出力を、所定の電力レベルを超過しないように調整することができる。コントローラ１１０は、充電スタンド２０によって利用可能な電力レベルを監視して、充電スタンド２０の電力出力を、所定の電力レベルを超過しないように制限する。少なくとも１つのセンサ１３２が、変圧器５４によって出力されて送電網５２に供給される電圧および電流のうち少なくとも１つを測定するように構成される。所定の電力レベルは、ＡＣ電源５２から利用可能な電力および非車両の充電負荷による使用のために確保される電力次第である。例えば、充電スタンド２０が、小売商によって顧客ために提供されている状況では、小売商の施設（例えば店）に関連した負荷も送電網５２に接続されて電力を受け取る可能性がある。このような負荷は、本明細書では非車両充電負荷と称される。非車両充電負荷に必要な電力は、例えばメモリデバイス１１４に記憶される。
【００２５】
この例示的実施形態では、コントローラ１１０は、センサ１３２から、ＡＣ電源５２によって入力端子５０に供給される電力の電圧レベルおよび電流レベルの少なくとも１つに対応する電圧レベル信号および電流レベル信号の少なくとも１つを受け取る。コントローラ１１０は、センサ１３２からの電圧レベル信号および電流レベル信号に基づいて、利用可能な電力レベルを求める。コントローラ１１０は、利用可能な電力を、非車両充電負荷で用いるために確保された電力レベルと比較することにより、所定の電力レベルを求める。さらに、コントローラ１１０は、電気自動車充電スタンド２０の電力出力を、利用可能な電力レベルと所定の電力レベルの間の差に制限する。電気自動車充電スタンド２０の電力出力の制限は、充電スタンド２０の出力電圧を制限することにより、例えば同出力電圧を制限するように可変出力変圧器１００を制御することによって達成される。多くの状況では、充電スタンド２０の出力電圧が制限されたとしても、電気自動車４０に供給される電力は、例えばゆっくりしたＡＣ充電に関連した電力レベルより依然として高いはずである。
【００２６】
代替実施形態では、中央コントローラ１４０は、電気自動車充電スタンド２０の電力出力を調整し、送電網５２に結合された、例えば電気自動車充電スタンド１４２、１４４といった追加の充電スタンドの電力出力も調整する。代替実施形態では、中央コントローラ１４０は、充電スタンド２０、１４２、および１４４によって出力される電力が所定の電力レベルを超過しないように、充電スタンド２０、１４２、および１４４の総計の電力出力を制限する。
【００２７】
さらに、電気自動車充電スタンド２０は、より具体的にはコントローラ１１０は、エネルギーをバッテリー７２から引き出して送電網５２に与えるのを促進するように構成されてよい。備えて、バッテリー７２から引き出されるエネルギーは、送電網の安定性の維持を含むがこれに限定されない送電網の制御に役立つことがある。例えば、送電網５２に偶発事故があると、コントローラ１１０は、エネルギーをバッテリー７２から引き出して送電網５２に与えてよく、送電網５２の動作を、送電網業者が必要とする値の範囲内に維持し、したがって電力平均分配または負荷分割を回避する。
【００２８】
図２は、複数の電気自動車１５２を充電するための例示的電気自動車充電システム１５０のブロック図である。単一の電気自動車に関して上記で説明された電気自動車充電スタンド２０は、複数の車両の充電にも適用可能である。この例示的実施形態では、電気自動車充電システム１５０は、それぞれがＡＣ電源５２に結合された複数の電気自動車充電スタンド２０を含む。電気自動車充電システム１５０は、単なる一例として、駐車場および／または立体駐車場に配置されてよい。例えば、電気自動車充電スタンドは、顧客が小売商の施設を利用している間に電気自動車を充電することができるように、駐車場および／または立体駐車場の利用を提供する小売商の顧客に対して利用可能にされ得る。別の実例では、電気自動車充電スタンドは、雇用者によって、従業員が、働いている間に自分の電気自動車を充電することができるように利用可能にされてもよい。前述のように、充電スタンドコントローラ１１０（図１に示されている）および／または中央コントローラ１４０（図１に示されている）は、充電スタンド２０の電力出力を、所定の電力レベルを超過しないように調整する。充電スタンド２０の電力出力を調整すると、非車両充電負荷向けの電力が、充電スタンド２０の動作によって悪影響を及ぼされないことが保証される。
【００２９】
図３は、電気自動車充電システム１５０の代替実施形態１８０のブロック図である。この代替実施形態では、電気自動車充電システム１８０は、例えば第１の電気自動車１８４、第２の電気自動車１８６、および／または第３の電気自動車１８８といった複数の電気自動車を充電するように構成された中央の電気自動車充電スタンド１８２を含む。電気自動車充電スタンド１８２は、変電所１９０に、または同変電所内に、配置されてよい。電気自動車充電システム１８０は、例えば第１の接続スタンド１９２、第２の接続スタンド１９４、第３の接続スタンド１９６といった複数の接続スタンドを含み、電気自動車１８４、１８６、および１８８は、これらを介して電気自動車充電スタンド１８２に結合され得る。電気自動車充電スタンド１８２は、例えば接続スタンド１９２、１９４、１９６のそれぞれに対して１台の可変出力変圧器がある複数の可変出力変圧器を含んでよい。電気自動車充電スタンド１８２は、充電スタンド１８２に結合された電気自動車のそれぞれの最大電圧レベル求め、各電気自動車のそれぞれに対して、その最大電圧レベルで電力を供給する。
【００３０】
あるいは、電気自動車充電スタンド１８２は、単一の可変出力変圧器および少なくとも１つのスイッチングデバイス１９８を含むことができる。スイッチングデバイス１９８は、接続スタンド１９２、１９４、および１９６のうちどれが電力を受け取るかを制御する。例えば、電気自動車１８６が最初に、電気自動車１８４が２番目に、電気自動車１８８が３番目に電力を供給されると決定されてよい。電気自動車充電スタンド１８２は、最初に、電気自動車１８６に供給する最大電圧レベルを求め、それに応じて第２の接続スタンド１９４に電力を供給する。一旦、電気自動車１８６の充電が完了するか、または所定の制限時間が満了すると、スイッチングデバイス１９８は、電気自動車充電スタンド１８２から第２の接続スタンド１９４を切り離す。電気自動車充電スタンド１８２は、電気自動車１８４に供給する最大電圧レベルを求め、それに応じて第１の接続スタンド１９２に電力を供給する。電気自動車充電スタンド１８２の中にスイッチングデバイス１９８が含まれると説明されているが、電気自動車充電システム１８０には、例えば、接続スタンド１９２、１９４、および１９６に配置されて、選択された接続スタンド１９２、１９４、および１９６に電力を供給するように制御される複数のスイッチングデバイスが含まれ得る。さらに、スイッチングデバイスは、電気自動車充電システム１８０が本明細書で説明されるように機能することを可能にする、電気自動車充電システム１８０の中の任意の適切な位置に配置されてよい。
【００３１】
図４は、例えば電気自動車充電スタンド２０（図１に示されている）といった電気自動車充電スタンドを制御する例示的方法２１０の流れ図２００である。前述のように、電気自動車充電スタンド２０は、例えば電気自動車４０（図１に示されている）といった電気自動車を充電するように構成される。例示的実施形態では、方法２１０は、例えば充電スタンドコントローラ１１０（図１に示されている）によって実行される、コンピュータで実施される方法である。別の例示的実施形態では、コンピュータ読取り可能媒体に収録されたコンピュータプログラムが少なくとも１つのコードセグメントを含み、これが、コンピュータによって実行されたとき、例えば充電スタンドコントローラ１１０が方法２１０を遂行する。本発明の態様により、汎用コンピュータが、本明細書で説明された命令を実行するように構成されたとき、専用コンピュータデバイスに変換される。
【００３２】
この例示的実施形態では、方法２１０は、例えば電源５２（図１に示されている）といったＡＣ電源から、例えば変圧器１００（図１に示されている）といった可変出力変圧器でＡＣ電力を受け取るステップ２１２を含む。方法２１０は、電気自動車４０向けに変圧器１００から出力されるべき電圧のレベルを求めるステップ２１４も含んでよい。例えば、コントローラ１１０は、２１４で、電気自動車４０から受け取った電圧レベル信号に少なくとも部分的に基づいて電圧レベルを求めることができる。コントローラ１１０は、電力コンバータ７４の変調されたスイッチング周波数を検出し、このスイッチング周波数を復調して、２１４で、電気自動車４０に供給するべき電圧のレベルを求めることができる。さらに、コントローラ１１０は、通信チャンネル、電力線通信、および／または充電スタンド２０が本明細書で説明されたように機能することを可能にするその他のタイプの信号伝送を用いて、電気自動車４０から電圧レベル信号を受け取ることができる。方法２１０は、電力コンバータ７４に対して、求められた電圧レベルでＡＣ電力を供給するステップ２１６も含む。
【００３３】
この例示的実施形態では、方法２１０は、例えば電力コンバータ７４と電動機７０の間に配置されたスイッチングデバイス８２（図１に示されている）といったスイッチングデバイスに対してスイッチ操作信号を供給するステップ２２０も含む。スイッチングデバイス８２は、スイッチ操作信号を受け取ると、電力コンバータ７４から電動機７０を切り離して、電力コンバータ７４を電気自動車充電スタンド２０に結合する。
【００３４】
この例示的実施形態では、方法２１０は、電気自動車充電スタンド２０の電力出力を調整するステップ２２４も含むことができる。例えば、コントローラ１１０は、２２４で、充電スタンド２０の電力出力を、所定の電力レベルまたは所定の電圧レベルを超過しないように調整することができる。この例示的実施形態では、所定の電力レベルは、ＡＣ電源５２から利用可能な電力および非電気自動車の充電負荷による使用のために確保される電力量次第である。より具体的には、電気自動車充電負荷以外のすべての負荷に対して必要とされる電力レベルが、例えばメモリデバイス１１４（図１に示されている）に記憶され得る。充電スタンド２０の電力出力を調整するステップ２２４は、例えばＡＣ電源５２の電力出力を測定するように構成されたセンサ１３２といった少なくとも１つのセンサからの電圧レベル信号および電流レベル信号のうち少なくとも１つを受け取るステップを含むことができる。電力出力を調整するステップ２２４は、ＡＣ電源５２から得ることができる電力レベルを求めて、同電力レベルを、非電気自動車の充電用途に必要とされる所定の電力レベルと比較するステップも含むことができる。調整するステップ２２４は、利用可能な電力レベルと所定の電力レベルの間の差に基づいて、電気自動車充電スタンド２０の電力出力を求める（例えば供給するべき充電電圧を求める）ステップも含むことができる。これは、充電スタンド２０によって電気自動車に供給される充電電圧を変化させるステップと称されることもある。コントローラ１１０または例えば中央コントローラ１４０といった個別の中央コントローラは、非電気自動車充電負荷に所定の電力レベルが利用可能であるように、例えば複数の電気自動車１５２（図２および図３に示されている）といった複数の電気自動車に供給される電力を調整するように構成され得る。
【００３５】
本明細書に示された実施形態は、説明された処理タスクの遂行に関して、いかなる特定のプロセッサにも限定されないことに留意されたい。本明細書に用いられる用語「プロセッサ」は、本発明のタスクを遂行するのに必要な計算または演算を遂行することができるあらゆるマシンを意味するように意図されている。用語「プロセッサ」は、構造化された入力を受け取って、出力を生成するための規定されたルールに従って処理することができる任意のマシンを意味するように意図されている。本明細書で用いられる熟語「構成された」は、プロセッサには、当業者には理解されるように、本明細書に示された実施形態のタスクを遂行するためのハードウェアとソフトウェアの組合せが備わっていることを意味することにも留意されたい。
【００３６】
本明細書に示された実施形態は、１つまたは複数のコンピュータ読取り可能媒体を包含し、各媒体は、データまたはデータを操作するためのコンピュータ実行可能命令を含むように構成され得る。コンピュータ実行可能命令には、データ構造、オブジェクト、プログラム、ルーチン、アルゴリズム、または多種多様な機能を遂行することができる汎用コンピュータに関連したプログラムモジュールもしくは限られた数の機能を遂行することができる専用コンピュータに関連したプログラムモジュールなど、処理システムによってアクセスされ得る他のプログラムモジュールが含まれる。コンピュータ実行可能命令は、処理システムに特定の機能または機能の群を遂行させ、本明細書に開示された方法を実施するためのステップに対するプログラムコード手段の実例である。さらに、実行可能命令の特定のシーケンスは、このようなステップを実施するために用いられ得る対応する動作の一例を与える。コンピュータ可読媒体の実例には、ランダムアクセスメモリ（「ＲＡＭ」）、読取専用メモリ（「ＲＯＭ」）、プログラマブル読取専用メモリ（「ＰＲＯＭ」）、消去可能プログラマブル読取専用メモリ（「ＥＰＲＯＭ」）、電気的消去可能プログラマブル読取専用メモリ（「ＥＥＰＲＯＭ」）、コンパクトディスク読取専用メモリ（「ＣＤ−ＲＯＭ」）、または処理システムによってアクセスされ得るデータもしくは実行可能命令を与えることができるその他のデバイスもしくは構成要素が含まれる。
【００３７】
本明細書には、電気自動車を充電するための例示の方法およびシステムが説明されている。より具体的には、本明細書で説明された方法およびシステムは、電気自動車内に含まれたトラクションモータの電力コンバータを利用する電気自動車の高速ＡＣ充電を容易にすることができる。本明細書で説明された方法およびシステムは、電気自動車に供給するべき電力の最大電圧レベルを求めることができ、求められたレベルで電圧を供給するための可変変圧器を含む。さらに、可変変圧器により、非車両充電負荷が必要とする所定の電力レベルが利用可能に存続するように１つまたは複数の電気自動車充電スタンドの電力出力を調整することが容易になり得る。
【００３８】
本明細書で説明された方法およびシステムにより、電気自動車の効率的かつ経済的な充電が容易になり得る。本明細書には、方法およびシステムの例示的実施形態が、詳細に説明され、かつ／または図示されている。本明細書で説明された方法およびシステムは、特定の実施形態に限定されるものではなく、むしろ、各システムの構成要素ならびに各方法のステップは、本明細書で説明された他の構成要素およびステップから独立して別個に利用され得る。各構成要素および各方法のステップは、他の構成要素および／または方法のステップと組み合わせて使用することもできる。
【００３９】
本明細書で説明され、かつ／または図示された方法および装置の要素／構成要素などを紹介するとき、冠詞「ある」、「１つの」、「この」、および「前記」は、１つまたは複数の要素／１つまたは複数の構成要素などがあることを意味するように意図される。用語「備える」、「含む」、および「有する」は、包括的であるように意図され、列挙された１つまたは複数の要素／１つまたは複数の構成要素など以外に、さらなる１つまたは複数の要素／１つまたは複数の構成要素などがあり得ることを意味する。
【００４０】
この書かれた説明は、最善の様式を含めて本発明を開示するために、また、あらゆる当業者が、あらゆるデバイスまたはシステムを製作し使用することならびにあらゆる具体化された方法を実行することを含めて本発明を実施することも可能にするために、実例を用いている。本発明が特許権を受けられる範囲は、特許請求の範囲によって規定され、当業者に想起される他の実施例を含み得る。そのような他の実例は、それらが特許請求の範囲の文字どおりの言葉と異ならない構造要素を有する場合、またはそれらが特許請求の範囲の文字どおりの言葉との実質のない相違点を有する同等な構造要素を含む場合には、特許請求の範囲に入るように意図されている。
【符号の説明】
【００４１】
２０  電気自動車充電スタンド
４０  電気自動車
５０  入力端子
５２  ＡＣ電源
５４  変圧器
５６  配電網
６０  ＡＣケーブル
６２  出力コネクタ
６４  接続デバイス
７０  電動機
７２  エネルギー蓄積デバイス
７４  電力コンバータ
７６  ＤＣコネクタ
７８  ＡＣコネクタ
８２  スイッチングデバイス
１００  可変出力変圧器
１０２  １次側
１０４  ２次側
１０６  複数のタップ
１１０  充電スタンドコントローラ
１１２  プロセッサ
１１４  メモリデバイス
１２０  システムコントローラ
１３０  センサ
１３２  センサ
１４０  中央コントローラ
１４２  電気自動車充電スタンド
１４４  電気自動車充電スタンド
１５０  電気自動車充電システム
１５２  複数の電気自動車
１８０  電気自動車充電システム
２００  流れ図
２１０  電気自動車充電スタンドを制御する方法
２１２  ＡＣ電源からＡＣ電力を受け取る
２１４  電気自動車に供給するべき電圧のレベルを求める
２１６  求められた電圧レベルで電力コンバータにＡＣ電力を供給する
２２０  スイッチングデバイスにスイッチ操作信号を供給する
２２４  電気自動車充電スタンドの電力出力を調整する
【図１】
2013013314.tif 000003
【図２】
2013013314.tif 000004
【図３】
2013013314.tif 000005
【図４】
2013013314.tif 000006
【外国語明細書】
2013013314000001.pdf